(57)【要約】【課題】車輪からソリへの切替え操作、或いは、ソリから車輪への切替え操作を容易かつ安全に行うことができる雪上移動兼用手押し台車を提供する。【解決手段】車輪とソリとを備えており、車輪によって路面を移動し、ソリによって雪上を移動するように構成された雪上移動兼用手押し台車について、ソリを車輪１２、１３の接地面以下の高さに配置するために、台車の下にソリを上昇及び下降可能に吊り下げた少なくとも前後一対の吊りアーム１８と、台車側に回転可能に軸支して支点部２１とし、一端側を力点部２２、他端側を作用点部２３とし、かつ、作用点部と上記吊りアームとがリンク機構２５を介して接続された昇降式ハンドル２０及びソリを上昇位置と下降位置に固定する固定手段とを備えて構成する。【選択図】          図３
2011126458.tif 000002
【特許請求の範囲】
【請求項１】
車輪とソリとを備えており、車輪によって路面を移動し、ソリによって雪上を移動するように構成された雪上移動兼用手押し台車であって、ソリを車輪の接地面以下の高さに配置するために、台車の下にソリを上昇及び下降可能に吊り下げた少なくとも前後一対の吊りアームと、台車側に回転可能に軸支して支点部とし、一端側を力点部、他端側を作用点部とし、かつ、作用点部と上記吊りアームとがリンク機構を介して接続された昇降式ハンドル及びソリを上昇位置と下降位置に固定する固定手段とを備えて構成された雪上移動兼用手押し台車。
【請求項２】
リンク機構は、昇降式ハンドルの作用点側を兼用する後部リンクアーム、前記後側の吊りアームに上端にて軸支して後部リンクアームとほぼ平行に配置される前部リンクアーム、これら後部リンクアームと前部リンクアームを連結したロッドから成る請求項１記載の雪上移動兼用手押し台車。
【請求項３】
前後一対の吊りアームは、下部が後方へ回転して上昇し、前方へ回転して下降するものとし、昇降式ハンドルは、作用点が後方から前方へ移動する形態を取るものとし、上記昇降式ハンドル側と兼用する後部リンクアーム及びこれとほぼ平行の前部リンクアームは、それぞれの軸支点を通る垂線の後方に位置したときにソリを上昇位置に置き、また、垂線の前方に位置したときにソリを下降位置に置くように構成されている請求項１記載の雪上移動兼用手押し台車。
【請求項４】
後部リンクアームは前部リンクアームよりも短く、後部リンクアームと前部リンクアームを連結したロッドにおける軸支点間隔は、後部リンクアームと前部リンクアームの上部軸支点の間隔よりも短く設定されている請求項３又は４記載の雪上移動兼用手押し台車。
【請求項５】
台車は、その後部に回転可能に支持した入力レバーを具備しており、その入力レバーは上記支持した点を支点とし、他端側を操作部とするとともに、上記一端側と他端側の間の作用点にて昇降式ハンドルの力点部に作用するように構成されている請求項１記載の雪上移動兼用手押し台車。
【請求項６】
ソリは、１個のスノーボードと、左右一対のスキッド又はスキー板の内のどちらか一方、もしくは、両方を含む構成を有する請求項１記載の雪上移動兼用手押し台車。
【請求項７】
台車は、台車下の四隅に小径の車輪４個を備えており、かつ、折り畳み式に構成されたものであるか、或いは、台車の左右両側に大径の車輪２個を備えており、かつ、台車が非折り畳み式のものの何れかから成る請求項１記載の雪上移動兼用手押し台車。
【発明の詳細な説明】
【技術分野】
【０００１】
本発明は、車輪とソリとを備えており、車輪によって路面を移動し、ソリによって雪上を移動するように構成された雪上移動兼用手押し台車に関するものである。
【背景技術】
【０００２】
いわゆる宅配業務では、多数の荷物を手際良く戸別配達する必要性から、配達車両のほかに台車（手押し車）やリヤカーなどを併用している。しかし、冬季、積雪地帯では、車輪が雪に埋まったり滑ったりするため、無雪地帯と同じような台車をそのまま用いることは不便がともなう。このため、小回りの利く台車の利点を生かした運搬手段を求めて試行錯誤が行われているが、現時点では無雪地帯における台車と同じように使用できる運搬手段は実現していない。
【０００３】
これまでに提案された先行技術には、例えば特開平５−２２１３２１号がある。同号の発明は車輪からソリに切り替えられる搬送車として、荷台下部先端にソリ板を擺動可能に軸支し、ソリ板の後端部は荷台後端部にスプリングを介して装着し、さらに荷台下部後端とソリ板の後端間をトグルジョイントによって連結し、トグルジョイントの操作レバーの先端をペダルに形成した構成を開示している。この構成はトグルジョイントの３関節を肘張り状態にしてソリを押し下げ状態にすると説明されているのであるが、どのようにして肘張り状態になり、かつ、それが維持されるのか必ずしも明瞭ではない。また、ただ１本のソリを用いるだけで、しかもソリを前後の端部で荷台に取り付ける構造であるから、一輪車のようでもあり、重量物を雪上で扱う場合には安定性の問題が残る。
【０００４】
特開２００３−１５４９４２号は、キャスター部とソリ部と切替え機構部を荷台部の下に配置し、切替え機構部の切替えレバーを前後に操作することで、キャスター部とソリ部を交互に使用可能にした構成を開示している。キャスター部を使用するには切替えレバーを支持してスライドプレートを前方に移動させ、また、ソリ部を使用するには切替えレバーを支持してスライドプレートを後方に移動させるのであるが、切替えレバーは前後に長く荷台部の下面にてスライドさせる構造であり、テコその他の有効な倍力機構の存在が認められないため、上記の切替え操作には相当な腕力と脚力を必要とされ、操作を繰り返すことで運転者は相当の体力を消耗すると思わる。
【０００５】
ところで、車輪からソリへの切替え、或いは、ソリから車輪への切替えは、一般に、雪上で行う場合が多いはずであるから、安定して切り替えられることは非常に重要な条件である。例えば切替え操作に強い力が必要であるとすれば、強い操作力の反力を支えるだけの足場が必要であり、雪上では踏ん張りの効く足場が得られないから、作業として望ましいものではない。また、操作力の強弱とともに問題になるのは操作力の方向である。というのは、操作力の方向が前後方向である場合には台車の移動方向と一致し、台車が簡単に動いてしまうことになるからである。これらのことは忘れられがちであるが、作業者が操作中に勢い余って姿勢を崩したり、転倒したりする原因になり、また、不意に台車が動いて荷くずれや思わぬ事故の原因になるなどの問題を作るので、実用上避けて通ることができない点である。しかし、上記の発明に見られるように、従来のソリ付き台車は雪上操作の安定性、安全性に関する配慮が十分とはいえず、扱い難さが克服されずについて回り、これらのことが現場に受け入れられない大きな原因になっていると判断される。
【０００６】
【特許文献１】特開平５−２２１３２１号
【特許文献２】特開２００３−１５４９４２号
【発明の開示】
【発明が解決しようとする課題】
【０００７】
本発明は前記の点に着目してなされたもので、その課題は、足元が不安定な雪上においても、車輪からソリへの切替え操作、或いは、ソリから車輪への切替え操作を容易かつ安全に行うことができる雪上移動兼用手押し台車を提供することである。また、本発明の他の課題は、宅配業務において、配達車両に搭載して配達に使用することができる雪上移動兼用手押し台車を提供することである。
【課題を解決するための手段】
【０００８】
前記の課題を解決するため、本発明は、車輪とソリとを備えており、車輪によって路面を移動し、ソリによって雪上を移動するように構成された雪上移動兼用手押し台車について、ソリを車輪の接地面以下の高さに配置するために、台車の下にソリを上昇及び下降可能に吊り下げた少なくとも前後一対の吊りアームと、台車側に回転可能に軸支して支点部とし、一端側を力点部、他端側を作用点部とし、かつ、作用点部と上記吊りアームとがリンク機構を介して接続された昇降式ハンドル及びソリを上昇位置と下降位置に固定する固定手段とを備えて構成するという手段を講じたものである。
【０００９】
昇降式ハンドルという手段を有することで、昇降式ハンドルを押し下げ或いは引き上げる操作を可能にし、不安定な雪上における操作性の改善を図っている。また、昇降式ハンドルはテコとしても機能し、昇降式ハンドルを押し下げ或いは引き上げる操作によってリンク機構を操作することで、操作力が台車の前後方向、或いは左右方向へ逃げることなく上下方向へ直接的に伝わる。よって、車輪からソリへの切替え、或いは、ソリから車輪への切替えを、上下方向への操作力によって不安を感じることなく行える。
【００１０】
上記リンク機構は、昇降式ハンドルの作用点側を兼用する後部リンクアーム、前期後側の吊りアームに上端にて軸支して後部リンクアームとほぼ平行に配置される前部リンクアーム、これら後部リンクアームと前部リンクアームを連結したロッドから成ることが望ましい。このリンク機構は実質的に平行リンクと同様の構成を有していると言える、しかしながら、リンク要素の長さや角度の設定を変えることで、より軽快な操作が可能である。
【００１１】
前後一対の吊りアームは、下部が後方へ回転して上昇し、前方へ回転して下降するものとし、昇降式ハンドルは、作用点が後方から前方へ移動する形態を取るものとし、上記昇降式ハンドル側と兼用する後部リンクアーム及びこれとほぼ平行の前部リンクアームは、それぞれの軸支点を通る垂線の後方に位置したときにソリを上昇位置に置き、また、垂線の前方に位置したときにソリを下降位置に置くように構成することができる。この場合において、後部リンクアームは前部リンクアームよりも短く、後部リンクアームと前部リンクアームを連結したロッドにおける軸支点間隔は、後部リンクアームと前部リンクアームの上部軸支点の間隔よりも短く設定することで、操作性がさらに改善される。
【００１２】
上記台車は、その後部に回転可能に支持した入力レバーを具備しており、その入力レバーは上記支持した点を支点とし、他端側を操作部とするとともに、上記一端側と他端側の間の作用点にて昇降式ハンドルの力点部に作用するように構成することができる。上記入力レバーも、また、テコとして作用するので操作力はより軽減される。
【００１３】
ソリについては、１個のスノーボードと、左右一対のスキッド又はスキー板の内のどちらか一方、もしくは、両方を含む構成を選択することができる。例えば、１個のスノーボードには左右一対のスキッドを併用して安定性を高めることが望ましいが、左右一対のスキー板によってソリを構成するときにはそれ以上のものの必要性は少ないと判断される。
【００１４】
台車は、台車下に小径の車輪４個を備えている折り畳み式のものであるか、或いは、台車の左右両側に大径の車輪２個を備えている非折り畳み式のものの何れかから成る。台車下に小径の車輪４個を備えたいわゆる台車或いは運搬車などと通称されるタイプの場合、特に折り畳み式ハンドル（又は手押し枠）を有するものは、場所を取らないので配達車両などに搭載しておくのに便宜である。台車の左右両側に大径の車輪２個を備えている非折り畳み式のものの場合には、本発明を、いわゆるリヤカー型の軽車両に適用したものと同等と考えて良い。
【発明の効果】
【００１５】
本発明は以上のように構成され、かつ、作用するものであるから、昇降式ハンドルを昇降させる上下方向への軽快な操作によって、作業者の足元が不安定な雪上においても、車輪からソリへの切替え操作、或いは、ソリから車輪への切替え操作を容易かつ安全に行うことができる。また、本発明によれば、宅配業務において、配達車両に搭載して配達に使用するために小型軽量に形成され、手軽に扱うことができる雪上移動兼用手押し台車を提供することができる。
【発明を実施するための最良の形態】
【００１６】
以下図示の実施形態を参照して本発明をより詳細に説明する。図１は本発明に係る雪上移動兼用手押し台車１０の例１を示しており、１１は上面が荷台を構成する台車本体であって、路面を移動する左右各一対の前後の車輪１２、１３と、雪上を移動するソリを備えている。台車１１は宅配業務の従業者（運転者が兼用する場合が多い）。が一人で扱うことを目的とした大きさ及び重量を有するもので、配達車両に搭載して配達に使用することができるように折り畳み式に構成された手押し枠３０を具備している。図示の例における車輪１２、１３は荷台下の四隅に配置した小径の車輪４個から成り、その内の前車輪１２のみキャスターである。これらの車輪１２、１３は、台車本体１１の下部にそれぞれ後車軸受部１４、１５を用いて取付けられている。
【００１７】
例１の場合、ソリとして１個のスノーボード１６と左右一対のスキッド１７、１７を有し（図１及び図２参照）、これらのスノーボード１６と左右一対のスキッド１７が一体として昇降可能に設けられている。左右吊りアーム１８は、連結ロッド１９、１９′によって連結されている。即ち、台車本体１１の前後両位置の下部とスキッド１７の前後両位置の上部にはブラケット１８ａ、１８ｂが設けられ、これらは吊りアーム１８により連結されていて、スキッド１７、１７を上昇及び下降可能に回転可能に吊り下げている。左右一対のスキッド１７、１７には前後に連結ロッド１９、１９′が取り付けられ、これらの連結ロッド１９、１９′には、スノーボード１６が下降時における台車本体１１の中央よりやや前方に位置する２か所で固定されている。上記連結ロッド１９、１９′は、左右のスキッド１７、１７上に設けたブラケット１９ａ、１９ａを介して取り付けられている。
【００１８】
例１におけるソリであるスノーボード１６と左右一対のスキッド１７、１７は、何物にも拘束されずに吊り下げられている時には、車輪１２、１３の接地面以下の高さに配置され（下降位置、図１実線及び図６Ｂ等参照）、最も高い位置を取ったときには車輪１２、１３の接地面以上の高さに配置される（上昇位置、図１鎖線及び図６Ａ等参照）。なお、車輪１２、１３の接地面の位置は車輪１２、１３の下端と考える。スノーボード１６は下降時における台車本体１１の中央よりやや前方に配置されているので、重心を考慮すると左右一対のスキッド１７、１７の中心に対してやや前方に位置し、ソリによる移動時の操舵を容易にする。このようなスノーボード１６と左右一対のスキッド１７、１７は、以下に述べるように後方へ引き上げるように構成されている。
【００１９】
上記ソリの上げ下げ操作のために、まず、昇降式ハンドル２０を装備し、昇降式ハンドル２０は、台車本体側に回転可能に軸支した箇所を支点部２１とし、一端側を力点部２２とし、他端側を作用点部２３としており、作用点部２３と上記吊りアーム１８とを後述するリンク機構２５を介して接続する（図３参照）。図示の昇降式ハンドル２０は、台車本体１１の後端部を迂回するためにほぼＪ字型の曲線状に形成した箇所を有する力点側部分と、リンク機構２５の後部リンクアーム２４とほぼ平行となるように形成した作用点側部分とを有し、それらの間に支点部２１を設けたものである。上記支点部２１と力点部２２との距離に対して、支点部２１と作用点の距離はほぼ２：１になっており、従って、上記昇降式ハンドル２０はテコとして機能し、図示の場合入力のほぼ２倍の力を作用点にて発揮することとなる。
【００２０】
上記リンク機構２５は、昇降式ハンドル２０の作用点側を兼用する上記の後部リンクアーム２４と、後側の吊りアーム１８に上端２６ａにて軸支して後部リンクアーム２４とほぼ平行に配置される前部リンクアーム２６、これら後部リンクアーム２４と前部リンクアーム２６を連結したロッド２７から成る（図３参照）。図３に実線で示した下降時において前部リンクアーム２６が垂線に対して作る傾斜は所定の角度Ａを取ることが望ましい。図３の例における角度は約４５度である。このとき、後部リンクアーム２４の傾斜角度は、上記角度よりもやや大きく、また、後部リンクアーム２４の長さは前部リンクアーム２６の長さよりもやや長く設定し、さらに軽快な操作性が得られるように構成されている。
【００２１】
本発明では、符号２２で示した昇降式ハンドル２０の力点部２２を上昇位置にて固定する固定手段として、上部ストッパー２８を軸支点２８ａにて手押し枠３０の下部に設けている（図２参照）。上部ストッパー２８は力点部２２に引っ掛けるためにフック状に形成した部材より成り、手で掛け外すことができる。また、昇降式ハンドル２０の力点部２２を下降位置にて固定する固定手段として、力点部２２に係止する下部ストッパー２９を手押し枠３０の下部の上記軸支点２８ａに設けている。さらに、昇降式ハンドル２０の操作力軽減のために入力レバー３１を使用することができる。この入力レバー３１は一端部にほぼＣ字型の係合リング３１ａを有するテコ部材で、係合リング３１ａを台車本体１１の後部に設ける手押し枠３０の位置決めロッド３３に係脱可能であり、係合させて昇降式ハンドル２０の上昇操作に使用する。その一方で、下降操作時には手押し枠３０の位置決めロッド３３から外して台車本体１１の後部に引っ掛け、支点として使用するように、テコ作用に必要な長さに形成されている。
【００２２】
上記手押し枠３０は、台車本体１１の上面後部左右のヒンジ金具３２に枢軸３２ａを用いて折り畳み可能に設けているもので、ヒンジ金具３２には手押し枠３０を直立状態に規定するための前壁３２ｂと、上下方向の長溝３２ｃが設けられている。上記長溝３２ｃには位置決めロッド３３を長溝方向へ移動可能に配置し、位置決めロッド３３にはばね３４を取り付けて長溝３２ｃの上方へ付勢し、ばね３４で付勢された位置決めロッド３３によって、手押し枠３０を後方から前壁３２ｂに押し付けることで直立位置に規定している。なお、手押し枠３０は図１、図２及び図３に示した例のとおり単なる門型の枠として設けたものであっても良い。
【００２３】
しかし、手押し枠３０の上部３０′に図４Ａ、図４Ｂ及び図５の左右に示したような可動枠機構３５を設け、操作位置の高低調節等を行うことによって操作性を改善することができる。図示の可動枠機構３５は枠下部の固定側ブラケット３６と、枠上部３０′に取り付けた可動側ブラケット３７と、固定側ブラケット３６と可動側両ブラケット３７を結合した軸３８を有し、さらに、可動側ブラケット３７に形成された円弧状溝３７ａに沿って移動可能であり、溝両端の係止部３７ｂ、３７ｃに係合、離脱可能にばね３７ｄによって付勢されたストッパー軸３９を設けている。図４Ｂに鎖線で図示したように手押し枠３０の枠上部３０′がほぼ立った起立状態で台車を押すと、操作部が恐らく重心から離れた位置であるため不安定になりがちであるのに対して、図４Ｂに実線で示したように倒して倒伏状態にすると、操作部が重心に近付くことで安定した操作が可能になる。
【００２４】
このように構成されている本発明の雪上移動兼用手押し台車１０を使用する場合、無雪時であれば車輪１２、１３によって路面を移動することができる（図６Ａ）。しかし、そのまま積雪地に乗り入れると、図７Ａに示すように車輪１２、１３が雪面Ｓに埋まった状態になるので、抵抗が極端に大きくなりとても車輪による走行移動は望めなくなる。このような場合、本発明では、昇降式ハンドル２０の力点部２２を上部ストッパー２８から外すとともに、押し下げてソリによる移動に切り替える。ソリは車輪１２、１３の接地面の位置までは自重によって下降するけれども（図１の下の方の鎖線）、車輪１２、１３の接地面の位置以下にまでソリを下げるためには、作業者によって台車全体を押し上げる操作が必要になる。なお、ソリの位置を車輪１２、１３の接地面の位置まで下げ、その位置で固定できれば、ソリを主とする滑走が可能になるので本発明の目的は達成されるから、ソリを車輪接地面の位置よりも下げることは絶対的な要件ではない。
【００２５】
本発明では、力点部２２をそのテコ作用によって押し下げるときに、リンク機構２５においても得られるテコ作用を利用し、例えば手押し枠３０で操作する者の身体を支えておいて、片足で力点部２２を踏んで押し下げることによって、上記の操作を容易に行うことができる。さらに、入力レバー３１の先端部を台車本体１１の後部に引っ掛け、支持させて支点とし、レバー中間部を力点部２２の上に置き、レバー外方の端部を下方に押すことで、ソリを車輪の接地面以下の高さに配置する作業をより一層軽快に行うことができるので、女性等が操作する場合でも、作業はきわめて容易である。なお、ソリが所定の位置まで下がったところで、下部ストッパー２９の先端を昇降式ハンドル２０の適当な箇所、例えば、ハンドルアームと力点部２２の凹状の段部にあてがいストッパーを施しておく。このようにして、スノーボード１６及びスキッド１７が雪上に配置されるので、ソリによって雪上を移動することができる（図６Ｂ、図７Ｂ）。
【００２６】
ソリを車輪走行用に戻すには、昇降式ハンドル２０に付いて上記と反対の操作を行うことになるが、その場合にも、ソリを雪面又は路面から引き揚げるために相応の力が必要である。しかし、本発明によればテコ作用を伴うリンク機構２５を含む作動系統によって、操作は軽快かつ容易に行われるから、最終的に上部ストッパー２８を力点部２２に引っ掛けておくことを忘れなければ良い。さらに、入力レバー３１を先後逆にして用い、その係合リング３１ａを、図１に鎖線で示したように、手押し枠側の位置決めロッド３３に係合支持させるとともに、中間部分を力点部２２の下にあてがい、図１において反時計回りに回転させることで、非常に小さな力で上部ストッパー２８の位置まで回転させることができる。
【００２７】
本発明においては、ソリとして左右一対のスキー板を用いて雪上移動兼用手押し台車を構成することも可能であるので、次にこれを例２として説明する。例２は図８以下に示されており、いわゆるリヤカー型の台車本体４１の左右両側に大径の車輪４２を左右１個備えるとともに、台車本体４１の上部が無蓋の積荷部になった非折り畳み式の雪上移動兼用手押し台車４０である。この例２の場合、スキー板４３を２個使用する以外の基本的構成は例１と同様であり、台車本体４１の前後両位置の下部とスキー板４３の前後両位置の上部にはブラケット４４ａ、４４ｂが設けられ、これらは吊りアーム４４により連結され、かつ、スキー板４３、４３を上昇及び下降可能に回転可能に吊り下げている。
【００２８】
昇降式ハンドル４５は、台車本体側に回転可能に軸支した箇所を支点部４６とし、一端側を力点部４７とし、他端側を作用点部４８としており、作用点部４８と上記吊りアーム４４とを後述するリンク機構５０を介して接続する（図８参照）。図示の昇降式ハンドル４５は、台車本体４１の後端部を迂回するためにほぼＣ字型の曲線状に形成した力点側部分と、リンク機構５０の後部リンクアーム５１とほぼ平行となるように形成した作用点側部分とを有し、それらの間に支点部４６を設けている。例２の場合、ほぼＣ字型の曲線状に形成した力点側部分は四角形の枠型アーム４７ａとして形成されており、支点部４６と力点部４７の距離は、前記の例１と同様に支点部４６と作用点部４８の距離の２倍に設定されている。なお、リヤカー型である例２の台車の場合、大きな枠状の引き手枠４９を有しており、その側方にて操作可能にする必要があるため、強度の大きい四角形の枠型アーム４７ａを備えているものである（図１０Ａ参照）。
【００２９】
リンク機構５０は、昇降式ハンドル４５の作用点側を兼用する上記の後部リンクアーム５１と、後側の吊りアーム４４に上端の軸部５２ａにて軸支して後部リンクアーム５１とほぼ平行に配置される前部リンクアーム５２、これら後部リンクアーム５１と前部リンクアーム５２を連結したロッド５３から成る。図８に実線で示した下降時において前部リンクアーム５２が垂線に対して作る傾斜は所定の角度Ａを取ることが望ましいこと、図示の例における角度は約４５度であること、このとき、後部リンクアーム５１の傾斜角度は、上記角度よりもやや大きく、また、後部リンクアーム５１の長さは前部リンクアーム５２の長さよりもやや長く設定していることなどは例１と同様である。
【００３０】
なお、前進後退の便宜のために、ソリの前後両端部に反り上げ部５４ａ、５４ｂを設けることとする。また、符号５５は上部ストッパーであり、昇降式ハンドル４５における力点部４７の軸部４７ａと係合可能な溝部５５ａを有していて、ストッパー自体はその上部において支軸５５ｂにより台車本体４１の側に取り付けられている。５６は下部ストッパー、５７は孫台車収用部であって、台車本体４１の前部に籠状に設けられている。５８は例えばプラスチックなどで形成されている囲み枠であり、台車本体４１の側面に取り付けて周囲を囲んでいる。
【００３１】
このように構成されている本発明の例２において、ソリの上げ下げは例１の場合と全く同じように行うことができる。即ち、例２でも昇降式ハンドル４５の力点部４７を上部ストッパー５５から外すとともに、押し下げてソリによる移動に切り替える。図９Ａ及び図９Ｂに示した路面移動状態において、力点部４７をそのテコ作用によって押し下げるときには、リンク機構５０においても得られるテコ作用を利用し、例えば引き手枠４９で操作する者の身体を支え、片足で力点部４７を踏んで押し下げることによって、上記の操作を容易に行うことができ、下部ストッパー５６を例１と同様にソリに掛けて、セットを完了する（図１０Ａ及び図１０Ｂ）。ソリを車輪走行用に戻すには、昇降式ハンドル４５に付いて上記と反対の操作を行えば良く、操作は容易であり、最終的に上部ストッパー５５を力点部４７に引っ掛けておく。なお、例２において、例１と同様に入力レバー３１を併用することも容易に実施可能であるが、例２では大きな枠状の引き手枠４９があるので、これを支えとして昇降式ハンドル４５に十分な力を加えることができる。
【００３２】
このように、本発明によれば操作力の方向が上下方向であるから台車の移動方向と直交しており、台車が簡単に動いてしまうことがない、このため台車を押さえる力も少なくて済む。また、昇降式ハンドル２０、４５がテコとして機能し、これを押し下げ或いは引き上げる操作によってリンク機構２５、５０を軽快に操作することができ、操作力が台車の前後方向、或いは左右方向へ逃げることなく上下方向へ直接的に伝わることと相俟って、作業者が操作中に勢い余って姿勢を崩したり、転倒したりすることがなく、また、不意に台車が動いて荷くずれるような恐れもないので、実用上の安全性を著しく向上することができる。従って、従来のソリ付き台車における雪上操作の安定性、安全性に関する問題が本発明の雪上移動兼用手押し台車によってほぼ克服され、現場に受け入れられるものとなった。
【図面の簡単な説明】
【００３３】
【図１】本発明に係る雪上移動兼用手押し台車の例１を示す側面説明図である。
【図２】同上のものの後面説明図である。
【図３】同上におけるリンク機構を示す側面説明図である。
【図４Ａ】同上における手押し枠を可動式にした例を示す部分背面図である。
【図４Ｂ】同上における手押し枠を可動式にした例を示す要部断面面図である。
【図５】同上の説明図で、左は手押し枠上部が起立状態、右は倒伏状態である。
【図６Ａ】同上における路面移動状態を示す側面図である。
【図６Ｂ】同上における雪上移動状態を示す側面図である。
【図７Ａ】同上における路面移動状態を示す後面図である。
【図７Ｂ】同上における雪上移動状態を示す後面図である。
【図８】本発明に係る雪上移動兼用手押し台車の例２を示す側面説明図である。
【図９Ａ】同上における路面移動状態を示す平面図である。
【図９Ｂ】同じく側面図である。
【図１０Ａ】同上における雪上移動状態を示す平面図である。
【図１０Ｂ】同じく側面図である。
【符号の説明】
【００３４】
１０  雪上移動兼用手押し台車
１１、４１  台車本体
１２  前車輪
１３  後車輪
１４  前車軸受
１５  後車軸受
１６  スノーボード
１７  スキッド
１８、４４  吊りアーム
１９、１９′  連結ロッド
２０、４５  昇降式ハンドル
２１、４６  支点部
２２、４７  力点部
２３、４８  作用点部
２４、５１  後部リンクアーム
２５、５０  リンク機構
２６、５２  前部リンクアーム
２７、５３  ロッド
２８、５４  上部ストッパー
２９、５５  下部ストッパー
３０  手押し枠  
３１  入力レバー
３２  ヒンジ金具
３３  位置決めロッド
３４  ばね
３５  可動枠機構
３６  固定側ブラケット
３７  可動側ブラケット
３８  結合軸
３９  ストッパー軸
４２  車輪
４３  スキー板
４９  引き手枠
【図１】
2011126458.tif 000003
【図２】
2011126458.tif 000004
【図３】
2011126458.tif 000005
【図４Ａ】
2011126458.tif 000006
【図４Ｂ】
2011126458.tif 000007
【図５】
2011126458.tif 000008
【図６Ａ】
2011126458.tif 000009
【図６Ｂ】
2011126458.tif 000010
【図７Ａ】
2011126458.tif 000011
【図７Ｂ】
2011126458.tif 000012
【図８】
2011126458.tif 000013
【図９Ａ】
2011126458.tif 000014
【図９Ｂ】
2011126458.tif 000015
【図１０Ａ】
2011126458.tif 000016
【図１０Ｂ】
2011126458.tif 000017